(57)【要約】【課題】  簡単な構造で開封が簡単であり、内容物も容易に取り出すことが可能なウェット状シート包装体を提供する。【解決手段】  被収容物であるパック用シート２０を挟んで互いに重ねられた一対の包装フィルム１２と、一対の包装フィルム１２の被収容物の周囲に設けられ一対の包装フィルム１２を互いに接着する接着部１４とを有する。接着部１４の一部が包装フィルム１２の端縁部１２ａから所定距離内側に位置して、包装フィルム１２により形成された保持部１８を備える。開封時には保持部１８の一対の包装フィルム１２をそれぞれ保持し、接着部１４を剥がして開封する。包装フィルム１２は熱溶着可能なフィルムで作られ、接着部１４はヒートシールされている。【選択図】図１
2006069635.tif 000002
【特許請求の範囲】
【請求項１】
被収容物を挟んで互いに重ねられた一対の包装フィルムと、上記一対の包装フィルムの上記被収容物の周囲を囲むように設けられ上記一対の包装フィルムを互いに接着する接着部と、上記包装フィルムの１つまたは複数の角部付近で、上記接着部の一部が上記包装フィルムの端縁部から所定距離内側に位置して上記包装フィルムの端縁部により形成された保持部が設けられ、上記角部の上記接着部よりも外側部分が上記保持部であり、開封時に上記保持部を保持して上記接着部を剥離可能としたことを特徴とするウェット状シート包装体。
【請求項２】
上記包装フィルムは矩形であり、上記接着部の一部は上記包装フィルムの１つまたは複数の辺に対して略平行に上記包装フィルムの端縁部から所定距離を中心側に離れた位置に設けられ、上記保持部が形成されたことを特徴とする請求項１記載のウェット状シート包装体。
【発明の詳細な説明】
【技術分野】
【０００１】
この発明は、シート状に形成されたパック用シート等のウェット状シートを包装したウェット状シート包装体に関する。
【背景技術】
【０００２】
従来、化粧品の分野では、顔に貼り付けて美容効果を与えるパック用シートが提供されており、このウェット状シートであるパック用シートの形状は、顔全体を覆う形状で目や鼻、口を露出させる透孔が形成されているものや、目の下に貼る三日月形のもの等、多種類がある。このようなパック用シートは、樹脂製の袋またはトレイ等に密封されて包装されている。またパック用シートに美容液が付着させてある場合、包装袋の内側に美容液が水密性を有して包装され、美容液の漏れを防止している。
【特許文献１】特開２００１−２９４２４２号公報
【特許文献２】特開２００１−３３５０６４号公報
【特許文献３】特開２００３−２２５２０８号公報
【発明の開示】
【発明が解決しようとする課題】
【０００３】
上記従来の包装体は、一対の包装フィルムの端縁部全周に沿ってヒートシール等により密封しているため、開封するときには、一端部を切断して開封しなければならず不便であり、開封操作が面倒であった。また、開封を容易にする手段として、包装フィルムの端縁部の一部に包装フィルムの切断を始める切欠部が形成され、この切欠部から包装フィルムの一辺を切断する方法もある。
【０００４】
しかし、包装体の一辺を切断して開封する場合、袋状の包装体からパック用シートを取り出すとき、パック用シートの剥離紙が包装フィルムに貼りついて取り出しにくかったり、パック用シートまたは剥離紙が残ってしまう可能性がある。また、パック用シートがウェットマスクの場合、包装フィルムに貼りついた不織布が破れてしまう可能性もある。また、袋状の包装体からパック用シートを摺りながら引き出すため、美容液が包装体の中に残り、顔に付ける美容液の量が減るという問題もある。
【０００５】
この発明は、上記従来の技術の問題点に鑑みてなされたものであり、簡単な構造で開封が簡単であり、内容物も容易に取り出すことが可能なパック用シート包装体を提供することを目的とする。
【課題を解決するための手段】
【０００６】
本発明は、被収容物を挟んで互いに重ねられた一対の包装フィルムと、上記一対の包装フィルムの上記被収容物を囲むように周囲を一周または所定範囲連続して設けられ上記一対の包装フィルムを互いに接着する接着部と、上記接着部の一部が上記包装フィルムの端縁部から所定距離内側に位置し、上記包装フィルムの端縁部により形成された保持部を備えたパック用シート包装体である。このパック用シート包装体を開封するときは、上記保持部である上記一対の包装フィルムの端縁部をそれぞれ保持して開き上記接着部を剥がし、開封する。
【０００７】
また、上記包装フィルムは熱溶着可能な熱可塑性フィルムで作られ、上記接着部はヒートシールにより形成されている。接着部は、ヒートシール以外に接着剤等で形成されても良い。上記接着部は密封するために十分な強度で接着され、なおかつ上記保持部を開いて引くと容易にはがれる強度に設定されている。また、気密・水密に設けられていると良い。
【０００８】
上記包装フィルムは矩形に形成され、上記接着部の一部は上記包装フィルムの１つまたは複数の角部付近で面取り状に交差する方向に形成され、上記角部の上記接着部よりも外側部分が上記保持部である。
【０００９】
さらに、上記包装フィルムは矩形であり、上記接着部の一部は上記包装フィルムの１つまたは複数の辺に対して略平行に上記包装フィルムの端縁部から所定距離を中心側に離れた位置に設けられ、上記辺付近の上記接着部よりも外側部分が上記保持部とするものでも良い。
【発明の効果】
【００１０】
本発明のパック用シート包装体は、包装フィルムの端縁部が保持部となり、容易に開封することができる。また、簡単な構造であるためコストがかからず、安価であり、しかも確実に水密な包装が可能であり、開封時は簡単に開封することができる。被収容物がパック用シートの場合、パック用シートに付着した美容液が付着した状態で包装フィルムを展開して取り出すことができ、美容液の損失が少なく美容効果が高い。さらに、包装形態に高級感を持たせることができ、外観上も良好なものとなる。
【発明を実施するための最良の形態】
【００１１】
以下、この発明の実施形態について図面に基づいて説明する。図１はこの発明の第一実施形態を示すもので、この実施形態のパック用シート包装体１０は、互いに対面する内側面に、熱可塑性樹脂により形成された熱溶着可能なフィルムが設けられたラミネート材で作られ、同形の包装フィルム１２が２枚重ねられて形成されている。包装フィルム１２の素材や積層構造は自由に選択可能であり、例えばポリエチレンテレフタレートフィルム（ＰＥＴ）、二軸延伸ナイロンフィルム（ＯＮｙ）、延伸ポリプロピレンフィルム（ＯＰＰ）、あるいはアルミニウム箔などが挙げられる。また、熱溶着可能であればラミネート材でなくても良い。
【００１２】
包装フィルム１２は、長方形に形成され、包装フィルム１２の端縁部１２ａを一周してヒートシールによる接着部１４が設けられている。接着部１４は、ヒートシール以外に接着剤等で形成されても良く、接着部１４は密封するために十分な強度で接着され、且つ後述する保持部１８を開いて引くと容易にはがれるイージーピール性を有した強度に設定されている。イージーピール性は、ＪＩＳ−Ｚ０２３８の密封軟包装袋の試験方法によれば、ヒートシール強さが１〜１０Ｎ／１５ｍｍ、好ましくは３〜６Ｎ／１５ｍｍ程度である。
【００１３】
包装フィルム１２の一つの角部１６近傍の接着部１４は、接着部１４の一部が包装フィルム１２の端縁部１２ａから所定距離内側に位置して、角部１６を面取りする方向に交差する直線状の保持部用接着部１４ａとして形成されている。角部１６の保持部用接着部１４ａよりも外側部分、つまり保持部用接着部１４ａと包装フィルム１２の端縁部１２ａの間は、開封時に保持するための保持部１８となる。
【００１４】
一対の包装フィルム１２の間には、被収容物が入れられて包装されている。被収容物は、ここでは美容用のウェット状シートであるパック用シート２０である。パック用シート２０は、例えば不織布に美容成分を含む薬液を浸したものである。パック用シート２０の形状は、例えば顔を覆う形状であり、目や鼻、口に当たるところは穴２２が形成されている。パック用シート２０は、図１の点線で示すように、例えば八つに折り畳まれた状態でウェット状シート包装体１０に収容され、ウェット状シート包装体１０の中には、美容成分を含む薬液が溜められている。
【００１５】
次に、ウェット状シート包装体１０の開封方法について説明する。まず、ウェット状シート包装体１０の保持部１８から互いに重ねられている包装フィルム１２の端縁部１２ａを両手に一枚ずつ保持して開き、保持部用接着部１４ａと接着部１４を引き剥がす。すると、ウェット状シート包装体１０の一方の包装フィルム１２の内側面にパック用シート２０が載っている状態に開封される。そして、パック用シート２０を取り外し、顔に貼り、美容効果を得る。
【００１６】
この実施形態のウェット状シート包装体１０によれば、簡単な構造でパック用シート２０を簡単に取り出すことができる。また、包装フィルム１２の内側面にパック用シート２０を載せた状態で開封されるので、薬液が多く浸された状態でパック用シート２０を取り出すことができ、パック用シート２０の美容効果が高いものとなる。ウェット状シート包装体１０は展開して開封されるため、袋状の包装体からパック用シート２０を引き上げるときのように包装体の中に薬液が残らず、薬液の損失が少ない。
【００１７】
なお、被収容物は図２に示すように、湾曲した繭形の目元用シート２４でも良い。目元用シート２４は、例えば保形性を有するゲルシートであり、各種の美容成分を含有し、表面には美容液が付着している。この目元用シート２４は、形状を保護するために樹脂製のトレイ２６に収容され、トレイ２６の開口部には剥離紙２８が置かれ、目元用シート２４が包装フィルム１２等に密着しないように覆っている。そして、目元用シート２４は、トレイ２６と剥離紙２８とともに、ウェット状シート包装体１０に入れられている。
【００１８】
この場合の開封方法は、上記と同様に保持部１８から互いに重ねられている包装フィルム１２の端縁部１２ａを両手に一枚ずつ保持して開き、保持部用接着部１４ａと接着部１４を引き剥がす。そして包装フィルム１２を展開して開封し、トレイ２６を露出させ、剥離紙２８を外して目元用シート２４を取り出す。
【００１９】
この実施形態のウェット状シート包装体１０によれば、トレイ２６に入っている目元用シート２４の場合も開封が簡単であり、目元用シート２４が包装フィルム１２に貼り付く恐れがなく、また美容液が多く付着した状態で取り出すことができる。
【００２０】
なお、この実施形態のウェット状シート包装体１０は、接着部１４と保持部１８の形状や数が自由に設定可能である。例えば図３に示すウェット状シート包装体３０は、熱溶着可能なフィルムで作られた同形の包装フィルム１２が２枚重ねられて設けられ、包装フィルム１２の端縁部１２ａを一周して接着部１４が設けられている。包装フィルム１２の一つの角部１６近傍と、角部１６に隣接する辺３２を挟んで反対側に位置角部３４近傍の接着部１４は、辺３２のほぼ中心で交差する一対の面取り状の直線である保持部用接着部１４ｂが形成されている。保持部用接着部１４ｂは、辺３２のほぼ中間で三角形になっている。角部１６，３４の保持部用接着部１４ｂよりも外側部分、つまり保持部用接着部１４ｂと包装フィルム１２の端縁部１２ａの間は、各々保持部１８，３６となる。
【００２１】
ウェット状シート包装体３０の開封方法は、保持部１６，３６のいずれから互いに重ねられている包装フィルム１２の端縁部１２ａを保持して開き、保持部用接着部１４ｂを引き剥がす。そして包装フィルム１２を展開して開封し、パック用シート２０を取り外す。
【００２２】
この実施形態のウェット状シート包装体３０によれば、上記実施の形態と同様の効果を有するものであり、保持部１８，３６が二個設けられ、保持する部分が多く開封がより容易である。
【００２３】
また、図４に示すウェット状シート包装体３８は、熱溶着可能なフィルムで作られた同形の包装フィルム１２が２枚重ねられて設けられ、包装フィルム１２の端縁部１２ａを一周して接着部１４が設けられている。包装フィルム１２の１つの辺３２近傍の接着部１４は、辺３２より所定間隔はなれて包装フィルム１２の中心側に平行移動し、直線状の保持部用接着部１４ｃが形成されている。保持部用接着部１４ｃよりも外側部分、つまり保持部用接着部１４ｃと包装フィルム１２の端縁部１２ａの間は、保持部４０となる。
【００２４】
ウェット状シート包装体３８の開封方法は、保持部４０から互いに重ねられている包装フィルム１２の端縁部１２ａを保持して開き、保持部用接着部１４ｃを引き剥がす。そして包装フィルム１２を展開して開封し、パック用シート２０を取り外す。この実施形態のウェット状シート包装体３８も、上記実施の形態と同様の効果を有するものである。
【００２５】
また、図５に示すウェット状シート包装体４２は、熱溶着性フィルムで作られた同形の包装フィルム１２が２枚重ねられて設けられ、包装フィルム１２の端縁部１２ａを一周して接着部１４が設けられている。包装フィルム１２の一個の辺３２の両端に位置する一対の角部１６，３４近傍の接着部１４は、角部１６，３４を面取りする方向に交差する直線である保持部用接着部１４ａ，１４ｄが各々形成されている。各角部１６，３４の保持部用接着部１４ａ，１４ｄよりも外側部分、つまり保持部用接着部１４ａ，１４ｄと包装フィルム１２の端縁部１２ａの間は、各々保持部１８，４４となる。
【００２６】
ウェット状シート包装体４２の開封方法は、上記各ウェット状シート包装体と同様に、保持部１８，４４のいずれから互いに重ねられている包装フィルム１２の端縁部１２ａを保持して開き、保持部用接着部１４ａまたは１４ｄを引き剥がすものである。
【００２７】
次に、図６に示すウェット状シート包装体４６は、熱溶着性フィルムで作られた同形の包装フィルム１２が２枚重ねられて設けられ、包装フィルム１２の端縁部１２ａを一周して接着部１４が設けられている。包装フィルム１２の角部１６近傍の接着部１４は、保持部用接着部１４ａが形成され、保持部１８が設けられている。包装フィルム１２の、角部１６の対角線上に位置する角部４８近傍の接着部１４は、角部４８を面取りする方向に交差する直線である保持部用接着部１４ｅが形成されている。角部４８の、保持部用接着部１４ｅと包装フィルム１２の端縁部１２ａの間は、保持部５０となる。
【００２８】
ウェット状シート包装体４６の開封方法は、上記各ウェット状シート包装体と同様に、保持部１８，４８のいずれから互いに重ねられている包装フィルム１２の端縁部１２ａを保持して開き、保持部用接着部１４ａまたは１４ｅを引き剥がすものである。
【００２９】
なお、この発明のウェット状シート包装体は、上記実施の形態に限定されるものではなく、保持部が設けられる位置や保持部の大きさ、形状等、適宜変更可能である。ウェット状シート包装体の用途は、上述のパック用シート、トレイに入れたゲルシート以外に、ウェットティッシュ、ウェットマスク、ゲルシート、トレイに入れたウェットマスク等、スキンケアに使用される種々の商品の包装にも利用することができる。包装フィルムは、２枚重ねられたものでもよいし、一枚を二つ折りして重ねても良い。また、保持部となる包装フィルムの一対の端縁部は、段違いに形成したり、異なる形状に形成して保持しやすくしても良い。
【図面の簡単な説明】
【００３０】
【図１】この発明の一実施形態のウェット状シート包装体とパック用シートの正面図である。
【図２】この実施形態のウェット状シート包装体の目元用シートを収容した状態を示す正面図である。
【図３】この実施形態の変形例の示すウェット状シート包装体を示す正面図である。
【図４】この実施形態の他の変形例の示すウェット状シート包装体を示す正面図である。
【図５】この実施形態の他の変形例の示すウェット状シート包装体を示す正面図である。
【図６】この実施形態の他の変形例の示すウェット状シート包装体を示す正面図である。
【符号の説明】
【００３１】
１０  ウェット状シート包装体
１２  包装フィルム
１４  接着部
１６  角部
１８  保持部
２０  パック用シート
２２  穴
【図１】
2006069635.tif 000003
【図２】
2006069635.tif 000004
【図３】
2006069635.tif 000005
【図４】
2006069635.tif 000006
【図５】
2006069635.tif 000007
【図６】
2006069635.tif 000008